(57)【要約】【課題】  足関節の障害に対する予防や治療、矯正、特に、足部の背屈時に踵骨の前方への誘導及び距骨の後方への誘導を円滑に行い、足関節の異常な外転を防止し、足関節内の異常運動に起因する骨連鎖によって誘発される下半身の異常運動を矯正することで、下肢アラインメント異常や誘発されるシンスプリントなどの諸障害を、普段から未然に防ぐべく予防処置を講じることができる靴下類の提供。【解決手段】  伸縮強度の強い編成に編上げた難伸縮性領域２０として、着用時、踵骨隆起部の頂点近傍と距骨上部とを連結してなる踵締付帯２０ａ、内外踝と距骨上部とを連結してなる踵上締付帯２０ｂ及び踵骨の爪先側下端と距骨上部とを連結してなる踵下締付帯２０ｃを設け、該踵締付帯２０ａが踵部の編成を二分してなる。【選択図】図７
2010012175.tif 000002
【特許請求の範囲】
【請求項１】
踵骨隆起部を覆う踵部に伸縮強度の異なる編成領域を有する靴下類であって、伸縮強度の強い編成に編上げた難伸縮性領域として、着用時、踵骨隆起部の頂点近傍と距骨上部とを連結してなる踵締付帯を設け、該踵締付帯が前記踵部の編成を二分してなることを特徴とする靴下類。
【請求項２】
踵骨隆起部を覆う踵部に伸縮強度の異なる編成領域を有する靴下類であって、伸縮強度の強い編成に編上げた難伸縮性領域として、着用時、踵骨隆起部の頂点近傍と距骨上部とを連結してなる踵締付帯と、内外踝と距骨上部とを連結してなる踵上締付帯と、踵骨の爪先側下端と距骨上部とを連結してなる踵下締付帯とを設け、該踵締付帯が前記踵部の編成を二分してなることを特徴とする靴下類。
【請求項３】
丸編機により筒状に編成される請求項１に記載の靴下類の製造方法において、踵部の編成が、前記踵締付帯により二分される足首側の踵部を前記踵締付帯の角度調整領域として反転編と編目の逓減により編成し、次いで強伸縮糸を挿入しながら正転編により踵締付帯を編成し、その後該踵締付帯の角度調整領域として爪先側の踵部を反転編と編目の逓増により編成することを特徴とする靴下類の製造方法。
【請求項４】
丸編機により筒状に編成される請求項２に記載の靴下類の製造方法において、踵部の編成が、強伸縮糸を挿入しながら正転編により踵上締付帯を編成し、前記踵締付帯により二分される足首側の踵部を前記踵締付体の角度調整領域として反転編と編目の逓減により編成し、次いで強伸縮糸を挿入しながら正転編により踵締付帯を編成し、該踵締付帯の角度調整領域として爪先側の踵部を反転編と編目の逓増により編成した後、強伸縮糸を挿入しながら正転編により踵下締付帯を編成することを特徴とする靴下類の製造方法。
【発明の詳細な説明】
【技術分野】
【０００１】
本発明は、足関節の障害に対する予防や治療、矯正を目的とし、足関節内の異常運動に起因する骨連鎖がもたらす下肢アラインメント異常、下肢障害を未然に防ぐべく、踵骨の前方への誘導及び距骨の後方への誘導を円滑に行い、足関節の異常な外転防止に適した靴下類に関する。
【背景技術】
【０００２】
従来、スポーツ等による下半身の障害の多くは、下肢に対して足部が背屈したときに、足関節が外転、即ち脛骨の前後軸に対して足部長軸が外側に向く状態となる異常運動に起因するといわれている。これは、「ｋｎｅｅ−ｉｎ  ｔｏｅ−ｏｕｔ（膝が内側、つま先が外方向を向く）」（図１）という骨格異常運動として表れ、動的アラインメント異常と捉えられている。また、これとは逆の方向に向く「ｋｎｅｅ−ｏｕｔ  ｔｏｅ−ｉｎ（膝が外側、つま先が内方向を向く）」という骨格異常運動（図２）も見られる。
【０００３】
特に多いのが前者で、人間の８５％以上に無意識に起こっているといわれる。この異常運動の習慣化により発生する障害は、スポーツ障害分野では“ｔｏｅ−ｏｕｔ症候群”と呼ばれ、大腿骨から脛骨１０４、腓骨１０５、距骨１０６、踵骨１０７そして足部にかけての骨連鎖（図４）により広く下半身の異常運動を誘発し、下半身の障害の８０％以上は、この異常運動が関与していると考えられている。
【０００４】
ここで、足関節の異常運動について詳述する。理想的には内側の踝１０９と外側の踝１１０との間に距骨１０６が適正に嵌り込み、関節面が安定する位置で嵌合すればよいが（図４）、四足歩行から進化した人間の手足は屈筋支配が強い特徴があるところ、腓腹筋１０１とヒラメ筋１０２とからなる下腿三頭筋がアキレス腱１０３に癒合して踵骨１０７に付着している筋骨構造上（図３）、踵骨１０７を体後方へ引っ張る作用が働き、立位状態において常に踵骨１０７が体後方へ誘導され、同時に距骨１０６は体前方へスライドしてしまう（図５）。
【０００５】
次に前記足関節内の背屈時の異常運動について述べると、膝屈曲時（背屈時）には、立位状態以上に踵骨１０７を後方へ引っ張る作用が働き、踵骨１０７が体後方へ誘導され、同時に距骨１０６は体前方へスライドする（図５）。
【０００６】
このため、膝屈曲時又は立位状態であっても、舟状骨１０８らが下降し、足裏アーチの崩れももたらす。そして、異常な状態のまま、さらに足首を曲げようとすると、脛骨１０４と前方へズレた距骨１０６が干渉することから（図５、破線部K）、無意識に膝を内側に逃がし、干渉を回避する運動を起こす。これが前述の「ｋｎｅｅ−ｉｎ  ｔｏｅ−ｏｕｔ」（図１）という動的アラインメント異常である。
【０００７】
上記下半身の異常運動が習慣化すると下肢アラインメント異常を来たし、体軸のズレ、扁平足、回内足、回外足、Ｏ脚（内反膝）、Ｘ脚（外反膝）、外反拇指などを誘発する。更に、腰痛、股関節炎、シンスプリント、アキレス腱炎、足底筋膜炎、足関節捻挫といった障害を誘発する一因ともなる。以上のことから、上記諸障害の原因は「踵骨の体後方への誘導」にあると言える。
【０００８】
かかる状態を放置すれば、痛みの慢性化、障害の再発率アップ、回復能力の低下、関節の変形、競技能力の低下といった悪循環に陥り、改善、回復に長期間を要することとなる。
【０００９】
従来、上記諸障害の予防、障害の治療、矯正を行うための処置としては、各異常個所の関節を固定することを目的とした様々なテーピングテクニックが存在している。例えば、障害が発症した足首部、膝部又は腰部などの各関節を固定するためのテーピングテクニックである。
【００１０】
一方、上記下肢アラインメント異常がもたらす一症状である扁平足を捉えて、足裏のアーチ構造確保という点に鑑み、足裏の正常なアーチに沿って、凸部を靴下底部内面に形成した靴下が提案されている(例えば、特許文献１参照)。
【特許文献１】特開２００１−２５８９２８号公報
【発明の開示】
【発明が解決しようとする課題】
【００１１】
しかしながら、前記テーピングテクニックにおいて、「踵骨の体後方への誘導」に前記諸障害の原因があるという点に着目した見解やテクニックは存在せず、ただ各異常個所の関節をテーピングにより固定するに過ぎなかったため、「踵骨の体後方への誘導」を解消するという根本的な問題解決には至らなかった。そして、各関節を固定してその動きを拘束するものであるから、関節の可動域を制限するため、十分な運動能力を発揮できないという問題点があった。また、テーピングの措置が面倒であるとともに、効果的なテーピング措置はある程度の熟練者によらなければ効果が期待できないという問題点に加え、使用したテープは使い捨てであるという経済的な理由とも相俟って、軽度のスポーツ練習や日常生活ではあまり使われないのが実情である。しかしながら、足関節の障害を未然に防ぐには、普段から何らかの予防処置を講じておくのが好ましい。
【００１２】
また、特許文献１に係る発明は、本来の正常な横アーチ及び縦アーチに沿って、又は何れか一方のアーチに沿って凸部を靴下底部内面に形成したことによって、足裏の凹凸を正常に整えようとするものであるが、かかる構成によっては、扁平足という一症状への対応に留まることから、足関節自体への矯正力は期待できず、下肢アラインメント異常そのものに対する予防、治療といった効果はない。
【００１３】
そして、上記下肢アラインメント異常は、下腿部にふくらはぎに拮抗できる強さの筋肉が存在しないために踵骨が後方へ引っ張られる現象であることから、筋力トレーニングや靴底にソールを入れるといった方法では、根本的に治すことができない。
【００１４】
そこで、本発明は、足関節の障害に対する予防や治療、矯正、特に、足部の背屈時に踵骨の前方への誘導及び距骨の後方への誘導を円滑に行い、足関節の異常な外転を防止し、足関節内の異常運動に起因する骨連鎖によって誘発される下半身の異常運動を矯正することで、下肢アラインメント異常や誘発されるシンスプリントなどの諸障害を、普段から未然に防ぐべく予防処置を講じることができる靴下類を提供することを課題とする。
【課題を解決するための手段】
【００１５】
上記の課題を解決するために、本発明は次のように構成した。即ち、請求項１に記載の靴下類は、踵骨隆起部を覆う踵部に伸縮強度の異なる編成領域を有する靴下類であって、伸縮強度の強い編成に編上げた難伸縮性領域として、着用時、踵骨隆起部の頂点近傍と距骨上部とを連結してなる踵締付帯を設け、該踵締付帯が前記踵部の編成を二分してなることを特徴とする。
【００１６】
また、請求項２に記載の靴下類は、踵骨隆起部を覆う踵部に伸縮強度の異なる編成領域を有する靴下類であって、伸縮強度の強い編成に編上げた難伸縮性領域として、着用時、踵骨隆起部の頂点近傍と距骨上部とを連結してなる踵締付帯、内外踝と距骨上部とを連結してなる踵上締付帯及び踵骨の爪先側下端と距骨上部とを連結してなる踵下締付帯を設け、該踵締付帯が前記踵部の編成を二分してなることを特徴とする。
【００１７】
また、請求項３に記載の靴下類の製造方法は、丸編機により筒状に編成される上記請求項１に記載の靴下類の製造方法において、踵部の編成が、前記踵締付帯により二分される足首側の踵部を前記踵締付帯の角度調整領域として反転編と編目の逓減により編成し、次いで強伸縮糸を挿入しながら正転編により踵締付帯を編成し、その後該踵締付帯の角度調整領域として爪先側の踵部を反転編と編目の逓増により編成することを特徴とする。
【００１８】
さらに、請求項４に記載の靴下類の製造方法は、丸編機により筒状に編成される上記請求項２に記載の靴下類の製造方法において、踵部の編成が、強伸縮糸を挿入しながら正転編により踵上締付帯を編成し、前記踵締付帯により二分される足首側の踵部を前記踵締付体の角度調整領域として反転編と編目の逓減により編成し、次いで強伸縮糸を挿入しながら正転編により踵締付帯を編成し、該踵締付帯の角度調整領域として爪先側の踵部を反転編と編目の逓増により編成した後、強伸縮糸を挿入しながら正転編により踵下締付帯を編成することを特徴とする。
【発明の効果】
【００１９】
請求項１に記載の靴下類を着用すれば、踵締付帯の強い収縮力により踵骨が体前方に引張され、距骨及び踵骨を適正な位置に誘導することができ、足関節内の異常運動を正常化することができる。
【００２０】
また、請求項２に記載の靴下類によれば、踵上締付帯及び踵下締付帯の強い収縮力により、激しい運動時等に踵締付帯が踵骨隆起部の頂点近傍と距骨上部を結ぶ適正位置からズレることを防止することができる。
【００２１】
このように足関節内の異常運動が正常化されることにより、骨連鎖によって誘発される下半身の異常運動も解消されることとなる結果、体軸のズレ、扁平足、回内足、回外足、Ｏ脚（内反膝）、Ｘ脚（外反膝）、外反拇指といったアラインメント異常や、腰痛、股関節炎、シンスプリント、アキレス腱炎、足底筋膜炎、足関節捻挫といった各種障害が解消されることとなる。
【００２２】
さらに、請求項３及び４に記載の靴下類の製造方法によれば、本発明に係る靴下類の踵部の複雑な構成を丸編機を使用して容易に編成することができる。
【発明を実施するための最良の形態】
【００２３】
ここでまず、図５及び図６に基づき踵骨１０７及び距骨１０６の正常位置への誘導について説明する。足関節の障害に対して予防や治療、矯正をし、足関節内の異常運動に起因する骨連鎖がもたらす下肢アラインメント異常、下肢障害を未然に防ぐには、踵骨１０７の体後方への移動及び距骨１０６の体前方へのスライド（図５）を防止し、日常的に踵骨１０７及び距骨１０６を正常な位置へと誘導しておくことが肝要である。その手段としては、踵骨１０７に対して斜め上前方方向へと外力を加えることが有効であり、人の標準的な距踵関節面及び距骨下関節面の構造上、角度α´が水平方向に対して約４５度〜約５５度となる方向軸β´で、踵骨１０７の先端部近傍から距骨１０６の上部方向へと踵骨１０７を誘導することが好ましい（図６）。これにより踵骨１０７が体前方の正常な位置へ誘導されると同時に、距骨１０６は逆に体後方の正常な位置へとスライドする。
【００２４】
以下、本発明の靴下類を実現する最良の形態を、実施例に基づいて説明する。
【００２５】
本発明に係る靴下類とは、短靴下のほか、サイハイソックス（太もも中央までの長さ）、オーバーザニー（膝上程度の長さ）、ハイソックス（ほぼ膝下までの長さ）、スリークォーターソックス（ふくらはぎまでの長さ）、ブーツソックス（ふくらはぎ中央までの長さ）、クルーソックス（短靴下よりもやや長い）、スニーカーソックスなど様々な靴下の他に、パンティストッキング又はタイツなど踵部を被覆する装着物を含むものである。以下、実施例１として、短靴下を使用して説明する。
【実施例１】
【００２６】
本発明の第一の実施例について、図７乃至図１０に基づき説明する。図７は、第一の実施例に係る本発明に係る靴下１を示す図、図８は力の働きを示す図、図９、図１０は本発明に係る靴下１を装着時の足関節への作用を示した図である。
【００２７】
図中、１は本発明に係る靴下、２０は難伸縮性領域、３０は角度調整領域を示す。また、２０ａは踵締付帯、２０ｂは踵上締付帯、２０ｃは踵下締付帯を示す。その他、４０は足挿入口部、５０は足首部、６０は足甲足底部、７０は爪先部を示す。
【００２８】
靴下１は、踵部に、伸縮強度の強い編成に編上げた難伸縮性領域２０として、踵締付帯２０ａ、踵上締付帯２０ｂ及び踵下締付帯２０ｃが構成され、該各締付帯の間に、角度調整領域３０が構成されてなる（図７）。その他の足挿入口部４０、足首部５０、足甲足底部６０及び爪先部７０は通常の靴下と同様の構成である。
【００２９】
靴下１の素材は、天然糸、合成糸など通常の靴下に用いられるもので良い。例えば、綿、アクリル、毛、ナイロン、ポリエステル、ポリウレタン、麻、ポリ塩化ビニル、ポリプロピレンなどのほか、これらの組み合せである。
【００３０】
難伸縮性領域２０は、強伸縮のゴム糸を挿入して難伸縮性に構成される。踵締付帯２０ａは踵骨隆起部の先端近傍と距骨上部とを連結して、踵上締付帯２０ｂは内外踝の下端を略水平方向に連結して、また踵下締付帯２０ｃは距骨の爪先側先端付近から略垂直方向に土踏まずを連結して周設される。難伸縮性領域２０の編成は、夫々所望の伸縮強度が得られるのであれば、使用する素材の別によっても良いし、編み方の別によっても良い。
【００３１】
角度調整領域３０は、踵部を覆う椀状の立体形状に形成され、角度調整領域３０の編目数や編目の反転編の開始位置を適宜変更することにより、角度調整領域に挟着される踵締付帯２０ａの編込み角度を調整する。
【００３２】
図８に示すように、踵締付帯２０ａは踵骨隆起部先端近傍と距骨上部を連結して周設され、踵骨先端部ｚと距骨上部の点ｙを結ぶ線βが示す向き、即ち、踵締付帯２０ａにより生じる伸縮力の力の向きは角度αとなる。該角度αを約４０度〜約６０度で構成すれば、年齢や性別などによる距踵関節面及び距骨下関節面の構造上の個人差に対応することができる。
【００３３】
踵上締付帯２０ｂ及び踵下締付帯２０ｃは上記角度αに構成された踵締付帯２０ａが着用者の運動時等に上記角度αからズレないように、踵骨の正常な位置への誘導を安定させるべく踵締付帯２０ａの上下を締め付けている。
【００３４】
本発明に係る靴下を着用すると、立位の状態においても、踵骨部の踵締付帯２０ａによる強度の収縮力を受けた結果（図９、図１０）、踵骨は前方の正常な位置に誘導されると同時に、距骨下関節のスライド運動により距骨が後方へ誘導され内踝と外踝との間に適正に嵌り込む。当該方向以外に力は作用しないので、足関節全体の運動性が損なわれることはない。また、踵締付帯２０ａの上下に編成された踵上締付帯２０ｂ及び踵下締付帯２０ｃによる強度の収縮力を受けて（図９、図１０）、角度調整領域３０及び踵締付帯２０ａのズレを防止し、踵骨及び距骨の正常位置への安定的な誘導が可能となる。
【００３５】
また、背屈時には、踵骨部にかかる踵締付帯２０ａによる一層の強度の収縮力を受けた結果、踵骨は前方の正常な位置に誘導されると同時に、距骨下関節のスライド運動により距骨が後方へ誘導され内踝と外踝との間に適正に嵌り込む。当該方向以外に力は作用しないので、足関節全体の運動性が損なわれることはない。また、踵締付帯２０ａの上下に編成された踵上締付帯２０ｂ及び踵下締付帯２０ｃによる強度の収縮力を受けて、角度調整領域３０及び踵締付帯２０ａのズレを防止し、踵骨の安定した正常位置への誘導が可能となる。
【００３６】
以上、本発明に係る靴下を着用すれば、足関節内の異常運動が正常化されることにより、足関節の種々の障害を未然に防ぐことができ、骨連鎖によって誘発される下半身の異常運動も解消されることとなる結果、体軸のズレ、扁平足、回内足、回外足、Ｏ脚（内反膝）、Ｘ脚（外反膝）、外反母趾といったアラインメント異常や、腰痛、股関節炎、シンスプリント、アキレス腱炎、足底筋膜炎、足関節捻挫といった各種障害が解消されることとなる。
【実施例２】
【００３７】
本発明の第二の実施例について、図１１に基づいて説明する。本実施例は、前記実施例の靴下をストッキングに応用したものである。
【００３８】
図１１は、本実施例におけるストッキングを示す図である。図中、２１は難伸縮性領域、３１は角度調整領域を示す。
【００３９】
即ち、本実施例におけるストッキングは、伸縮強度の異なる編成領域を有するストッキングであって、伸縮強度の強い編成に編上げた難伸縮性領域２１として、踵骨隆起部の頂点近傍と距骨上部とを連結してなる踵締付帯２１ａと、内外踝と距骨上部とを連結してなる踵上締付帯２１ｂと、踵骨の爪先側下端と距骨上部とを連結してなる踵下締付帯２１ｃとが構成され、該各締付帯の間に反転編で編成された角度調整領域３１を設けてなることを特徴としている。
【００４０】
本実施例におけるストッキングの素材は、ナイロン、ポリウレタンなど、通常、ストッキングに用いられる素材でよく、難伸縮性領域２１の編成は、夫々所望の伸縮強度が得られるのであれば、使用する素材の別によっても良いし、編み方の別によっても良い。
【００４１】
本実施例におけるストッキングを着用すれば、足関節内の異常運動が正常化されることにより、前記実施例同様、足関節の種々の障害を未然に防ぐことができ、骨連鎖によって誘発される下半身の異常運動も解消されることとなる結果、体軸のズレ、扁平足、回内足、回外足、Ｏ脚（内反膝）、Ｘ脚（外反膝）、外反拇指といったアラインメント異常や、腰痛、股関節炎、シンスプリント、アキレス腱炎、足底筋膜炎、足関節捻挫といった各種障害が解消されることとなる。
【００４２】
次に、上記実施例１に係る靴下の製造方法について説明する。図１２は、靴下１の編立展開概略図である。
【００４３】
靴下１の製造には、円筒状のシリンダの外周面に複数の針床を設け、複数の針を上下して編み込む丸編機を使用する。まず、シリンダを正回転させて編み込む正転編により足挿入口部４０を編成する。通常の靴下と同様に、脛部からのズレを防止するべく足挿入口部４０には地糸及び裏糸を編込みながらゴム糸を挿入して編成する。足挿入口部４０に連続して足首部５０を正転編により編成する。足首部５０の編成幅は各種靴下に従い変更すればよい。
【００４４】
次に、踵上締付帯２０ｂを正転編により編成する。同時に、内外踝の下端を略水平方向に締め付けるべく強伸縮性のゴム糸を挿入して編成する。
【００４５】
踵上締付帯２０ｂの編成が完了すると踵上締付帯２０ｂの足甲側下辺Ａが編成待ち状態となり、シリンダの正逆回転を反復させて編み込む反転編を踵上締付帯２０ｂの足底側下辺のみから開始する。そして、編目を逓減させながら足首側の角度調整領域３０を台形状に編成する。
【００４６】
その後、踵締付帯２０ａを正転編により編成する。同時に、踵骨隆起部先端近傍及び距骨上部間を締め付けるべく強伸縮のゴム糸を挿入して編成する。この時、反転編により形成された台形の斜辺Ｂ及び踵上締付帯２０ｂの編成待ち状態の下辺Ａと踵締付帯２０ａの上辺Ｃとを踵締付帯２０ａの編成開始に伴って縫い合わせ、踵部を覆う半椀状の立体形状に足首側の角度調整領域３０を形成する。
【００４７】
次に、爪先側の角度調整領域３０について、足底側のみを反転編し、編目を逓増することにより台形状に編成する。この為、反転編により踵締付帯２０ａの下辺の一部Ｄが編成待ち状態となる。通常、爪先側の角度調整領域３０は足首側の角度調整領域３０と対称に構成される。
【００４８】
その後、踵下締付帯２０ｃを正転編により編成する。同時に、距骨の爪先側先端近傍及び土踏まず間を略垂直方向に締め付けるべく強伸縮性のゴム糸を挿入して編成する。この時、踵締付帯２０ａの編成待ち状態中の下辺Ｄと反転編により形成された台形の斜辺Ｅ及び踵下締付帯２０ｃの足甲側の上辺Ｆとを踵下締付帯２０ｃの編成開始に伴って縫い合わせ、踵部を覆う半椀状の立体形状に爪先側の角度調整領域３０を形成する。踵締付帯２０ａに二分割された足首側及び爪先側の角度調整領域３０が一体的に踵部を覆う機能を発揮する。また、角度調整領域３０の編目数や編目の逓減又は逓増開始位置を変更することで踵締付帯２０ａの角度が水平方向に対して約４０度〜約６０度になるように調整する。該角度αを約４０度〜約６０度で構成すれば、年齢や性別などによる距踵関節面及び距骨下関節面の構造上の個人差に対応することができる。本発明に係る靴下１は踵部の編成途中に踵締付帯２０ａを構成し、踵部の編成を二分割することに特徴があり、該二分割された角度調整領域３０が踵締付帯２０ａの角度を調整及び維持している。
【００４９】
次に、足甲足底部６０を正転編により編成する。最後に爪先部７０を足裏側のみ反転編し、且つ編目を逓減及び逓増することにより爪先を覆う椀状の立体形状に形成する。そして、爪先部７０の開口部を縫製部８０を利用して縫製し、捨て糸部９０を裁断して靴下１の製造は完了する。
【００５０】
上記第一の実施例の靴下１では、踵締付帯２０ａ、踵上締付帯２０ｂ及び踵下締付帯２０ｃを設けたが、踵上締付帯２０ｂ及び踵下締付帯２０ｃを設けなくても、踵締付帯２０ａのみの構成で踵骨及び距骨の誘導は可能であって本発明の効果を奏することができる。但し、着用者の激しい運動時等の踵締付帯２０ａのズレを防止し、踵骨及び距骨の正常位置への安定的な誘導を維持するには、踵上締付帯２０ｂ及び踵下締付帯２０ｃを設け、踵締付帯２０ａの上下を締め付けるのが最良である。なお、踵締付帯２０ａのみで構成した靴下１を装着した場合に、ゴムバンド等で踵上締付帯２０ｂ及び踵下締付帯２０ｃに当たる箇所を締め付けてズレを防止することも可能である。また、踵締付帯２０ａのみで構成した靴下１の製造方法としては、上記第一の実施例に係る靴下１の製造方法において、踵上締付帯２０ｂ及び踵下締付帯２０ｃを編成せず、足首部５０に連続して足首側の角度調整領域３０を編成し、次いで踵締付帯２０ａ、爪先側の角度調整領域３０、そして足甲足底部６０の順に踵部を編成すればよい。
【００５１】
また、上記実施例１及び２において、踵締付帯２０ａ・２１ａ、踵上締付帯２０ｂ・２１ｂ及び踵下締付帯２０ｃ・２１ｃの編成幅を使用用途や体型に応じて変更することが可能である。例えば、スポーツ用の靴下として、踵締付帯２０ａのズレをより防止するために踵上締付帯２０ｂや踵下締付帯２０ｃの編成幅を大きくしてもよい。
【産業上の利用可能性】
【００５２】
本発明は、例えば、靴下の製造メーカー並びに販売業者等により、産業上、利用可能なものである。
【図面の簡単な説明】
【００５３】
【図１】ｋｎｅｅ−ｉｎ  ｔｏｅ−ｏｕｔを示す図
【図２】ｋｎｅｅ−ｏｕｔ  ｔｏｅ−ｉｎを示す図
【図３】下腿三頭筋がアキレス腱に癒合した状態を示す図
【図４】足関節の骨格を示す図
【図５】膝屈曲時の異常な足関節の状態を示す図
【図６】足関節の異常を正常位置に誘導する状態を示す図
【図７】第一の実施例に係る本発明に係る靴下を示す図
【図８】力の働きを示す図
【図９】本発明に係る靴下を装着時の足関節への作用を示した図
【図１０】本発明に係る靴下を装着時の足関節への作用を示した図
【図１１】第二の実施例に係る本発明に係るストッキングを示す図
【図１２】本発明に係る靴下の編立展開概略図
【符号の説明】
【００５４】
１  本発明に係る靴下
２０、２１  難伸縮性素材領域
２０ａ、２１ａ  踵締付帯
２０ｂ、２１ｂ  踵上締付帯
２０ｃ、２１ｃ  踵下締付帯
３０、３１  角度調整領域
４０  足挿入口部
５０  足首部
６０  足甲足底部
７０  爪先部
８０  縫製部
９０  捨て糸部
１０１  腓腹筋
１０２  ヒラメ筋
１０３  アキレス腱
１０４  脛骨
１０５  腓骨
１０６  距骨
１０７  踵骨
１０８  舟状骨
１０９  内踝
１１０  外踝
【図１】
2010012175.tif 000003
【図２】
2010012175.tif 000004
【図３】
2010012175.tif 000005
【図４】
2010012175.tif 000006
【図５】
2010012175.tif 000007
【図６】
2010012175.tif 000008
【図７】
2010012175.tif 000009
【図８】
2010012175.tif 000010
【図９】
2010012175.tif 000011
【図１０】
2010012175.tif 000012
【図１１】
2010012175.tif 000013
【図１２】
2010012175.tif 000014